(57)【要約】【課題】  分割タグに固有情報およびこの秘匿情報を持たせることにより、プライバシイの保護、所有者の特定、製品の真贋の判定その他の広義の正当性保証を実現する正当性保証方法、装置、分割タグおよび質問器を提供する。【解決手段】  製品毎に異なる固有番号の情報とその秘匿情報を格納する分割タグ１と、固有番号の情報とその情報と関連する秘匿情報を読み書きする質問器２１とより成る正当性保証装置において、分割タグ１は相互に分割することができ、固有番号の情報を格納する第一タグ１１および秘匿情報を格納する第二タグ１２より成り、第一タグ１１および第二タグ１２はそれぞれトランスポンダ１１１、１２１を有すると共に共通のアンテナ１１２を有し、更に、共通のアンテナ１１２をトランスポンダの双方に電気接続すると共に分割することによりこの接続を解放する接点部１１３を有する正当性保証装置。【選択図】  図１
2005321878.tif 000002
【特許請求の範囲】
【請求項１】
製品毎に異なる固有番号の情報とその情報と関連する秘匿情報を格納する分割タグを有し、
固有番号の情報とその情報と関連する秘匿情報を読み書きする質問器を有し、
分割タグは第一タグおよび第二タグにより構成し、固有情報を第一タグに書き込むと共に秘匿情報を第二タグに書き込み、
分割タグを第一タグおよび第二タグに分割して固有情報および秘匿情報の読み取り書き込みを阻止することを特徴とする正当性保証装置。
【請求項２】
製品毎に異なる固有番号の情報とその情報と関連する秘匿情報を格納する分割タグと、固有番号の情報とその情報と関連する秘匿情報を読み書きする質問器とより成る正当性保証装置において、
分割タグは相互に分割することができ、固有番号の情報を格納する第一タグおよび秘匿情報を格納する第二タグより成り、
第一タグおよび第二タグはそれぞれトランスポンダを有すると共に共通のアンテナを有し、更に、共通のアンテナをトランスポンダの双方に電気接続すると共に分割することによりこの接続を解放する接点部を有することを特徴とする正当性保証装置。
【請求項３】
請求項１および請求項２に記載される正当性保証装置において、
分割タグは、
第一タグは第一トランスポンダを有し、
第二タグは第二トランスポンダを有し、
第一トランスポンダおよび第二トランスポンダに固定接点部および可動接点部より成る接点部を介して共通に接続するアンテナを有し、
可動接点部に電気機械的に接続すると共に第一タグと第二タグに亘って連通する剛性連結導体を有することを特徴とする正当性保証装置。
【請求項４】
請求項３に記載される正当性保証装置において、
第一タグは第一トランスポンダを有し、
第二タグは第二トランスポンダを有し、
第一トランスポンダおよび第二トランスポンダに各別のアンテナを各別の固定接点部および可動接点部より成る接点部を介して接続したことを特徴とする正当性保証装置。
【請求項５】
請求項２ないし請求項４の内の何れかに記載される正当性保証装置において、
質問器は、
固有情報および秘匿情報の書き込み読み出し信号を分割タグに送受信可能な信号に変換する制御部を有し、
書き込み読み出し信号を送受信する送受信部を有することを特徴とする正当性保証装置。
【請求項６】
請求項２ないし請求項４の内の何れかに記載される正当性保証装置において、
第一タグおよび第二タグそれぞれに専用の周波数を割り当てて第一タグおよび第二タグに共通に使用する質問器であることを特徴とする正当性保証装置。
【請求項７】
請求項２ないし請求項４の内の何れかに記載される正当性保証装置において、
第一タグおよび第二タグの何れかに格納される回路の一部に遅延回路を加えておくことで、同一周波数の質問をして時間遅れを利用してそれぞれ制御する質問器であることを特徴とする正当性保証装置。
【請求項８】
製品毎に異なる固有番号の情報とその情報と関連する秘匿情報を格納する分割タグと、固有番号の情報とその情報と関連する秘匿情報を読み書きする質問器とを使用し、
分割タグを第一タグおよび第二タグにより構成して分割前に固有情報を第一タグに書き込むと共に秘匿情報を第二タグに書き込み、
分割タグを第一タグおよび第二タグに分割して固有情報および秘匿情報の読み取り書き込みを阻止することを特徴とする正当性保証方法。
【請求項９】
請求項８に記載される正当性保証方法において、
第一タグを製品に埋め込み、第二タグを当該製品の保証書に埋め込むことを特徴とする正当性保証方法。
【請求項１０】
請求項８に記載される正当性保証方法において、
分割タグを使用者が購入して自身の製品に任意に取り付けることを特徴とする正当性保証方法。
【請求項１１】
タグを第一タグおよび第二タグにより構成し、固有情報を第一タグに書き込むと共に秘匿情報を第二タグに書き込み、分割タグを第一タグおよび第二タグに分割して固有情報および秘匿情報の読み取り書き込みを阻止することを特徴とする分割タグ。
【請求項１２】
請求項１１に記載される分割タグにおいて、
第一タグは第一トランスポンダを有し、
第二タグは第二トランスポンダを有し、
第一トランスポンダおよび第二トランスポンダに固定接点部および可動接点部より成る接点部を介して共通に接続するアンテナを有し、
可動接点部に電気機械的に接続すると共に第一タグと第二タグに亘って連通する剛性連結導体を有することを特徴とする分割タグ。
【請求項１３】
請求項１１に記載される分割タグにおいて、
第一タグは第一トランスポンダを有し、
第二タグは第二トランスポンダを有し、
第一トランスポンダおよび第二トランスポンダに各別のアンテナを各別の固定接点部および可動接点部より成る接点部を介して接続したことを特徴とする分割タグ。
【請求項１４】
第一タグおよび第二タグにより構成される分割タグの第一タグに固有情報を書き込むと共に第二タグに秘匿情報を書き込むことを特徴とする質問器。
【請求項１５】
請求項１４に記載される質問器において、
固有情報および秘匿情報の書き込み読み出し信号を分割タグに送受信可能な信号に変換する制御部を有し、
書き込み読み出し信号を送受信する送受信部２１２を有することを特徴とする質問器。
【請求項１６】
請求項１５に記載される質問器において、
第一タグおよび第二タグそれぞれに専用の周波数を割り当てて第一タグおよび第二タグに共通に使用することを特徴とする質問器。
【請求項１７】
請求項１５に記載される質問器において、
第一タグおよび第二タグの何れかに格納される回路の一部に遅延回路を加えておくことで、同一周波数の質問をして時間遅れを利用してそれぞれ制御する質問器であることを特徴とする質問器。
【発明の詳細な説明】
【技術分野】
【０００１】
この発明は、正当性保証方法、この方法を実施する装置、これらに使用される分割タグおよび質問器に関し、特に、分割タグに固有情報およびこの固有情報のハッシュ値を持たせることにより、プライバシイの保護、所有者の特定、製品の真贋の判定その他の広義の正当性保証を実現する正当性保証方法、この方法を実施する装置、これらに使用される分割タグおよび質問器に関する。
【背景技術】
【０００２】
タグの従来例としては、各種の装置が開発されている（特許文献１、２  参照）。タグにおいて、製品の購入者のプライバシイの保護には、タグを物理的に破壊し、タグの読み書きに使用される電波を妨害し、或は高度なセキュリティ技術を使用した特定のタグリーダでのみタグを読み書きする技術を採用している。
そして、プライバシイ確保のために高度なセキュリティ技術を使用し、特定のリーダのみに依ってしか、タグの読み書きをすることができない構成を採用してプライバシイを確保する方法も考案されている。
【特許文献１】特開２００１−２８３１７１
【特許文献２】特開２００３−２８１３０２
【発明の開示】
【発明が解決しようとする課題】
【０００３】
しかし、タグを物理的に破壊すると、当然にタグは再利用することができなくなるし、タグの読み書きに使用される電波を妨害することによりプライバシイを保護をするということは、結局、タグの電波が妨害されない環境下においてはプライバシイの確保は保証されないことを意味する。
そして、プライバシイ確保に高度なセキュリティ技術を採用することは、リーダを含むタグ全体の高価格化につながると共にユーザの利便性を損なうという問題も残る。
また、タグの従来例において、プライバシイ保護技術は、あくまで、プライバシイ保護のみを実現するものである。タグは、この保護技術により確かにプライバシイの保護をすることができる装置とはなるが、これによって製品の真贋を保証することは困難となり、更に、このタグにより製品の購入者の特定或いは所有者の特定、その他の広義の真贋判定を実現することはできなくなった。その結果、模造品の発生その他の２次的な課題を発生させていた。
【課題を解決するための手段】
【０００４】
請求項１：製品毎に異なる固有番号の情報とその情報と関連する秘匿情報を格納する分割タグ１を有し、固有番号の情報とその情報と関連する秘匿情報を読み書きする質問器２１を有し、分割タグ１は第一タグ１１および第二タグ１２により構成し、固有情報を第一タグ１１に書き込むと共に秘匿情報を第二タグ１２に書き込み、分割タグ１を第一タグ１１および第二タグ１２に分割して固有情報および秘匿情報の読み取り書き込みを阻止する正当性保証装置を構成した。
請求項２：製品毎に異なる固有番号の情報とその情報と関連する秘匿情報を格納する分割タグ１と、固有番号の情報とその情報と関連する秘匿情報を読み書きする質問器２１とより成る正当性保証装置において、分割タグ１は相互に分割することができ、固有番号の情報を格納する第一タグ１１および秘匿情報を格納する第二タグ１２より成り、第一タグ１１および第二タグ１２はそれぞれトランスポンダ１１１、１２１を有すると共に共通のアンテナ１１２を有し、更に、共通のアンテナ１１２をトランスポンダの双方に電気接続すると共に分割することによりこの接続を解放する接点部１１３を有する正当性保証装置を構成した。
【０００５】
請求項３：請求項１および請求項２に記載される正当性保証装置において、分割タグは、
第一タグ１１は第一トランスポンダ１１１を有し、第二タグ１２は第二トランスポンダ１２１を有し、第一トランスポンダ１１１および第二トランスポンダ１２１に固定接点部１１３ｓおよび可動接点部１１３ｍより成る接点部を介して共通に接続するアンテナを有し、可動接点部１１３ｍに電気機械的に接続すると共に第一タグ１１と第二タグ１２に亘って連通する剛性連結導体１１３ｔを有する正当性保証装置を構成した。
【０００６】
請求項４：請求項３に記載される正当性保証装置において、第一タグ１１は第一トランスポンダ１１１を有し、第二タグ１２は第二トランスポンダ１２１を有し、第一トランスポンダ１１１および第二トランスポンダ１２１に各別のアンテナを各別の固定接点部１１３ｓおよび可動接点部１１３ｍより成る接点部を介して接続した正当性保証装置を構成した。
請求項５：請求項２ないし請求項４の内の何れかに記載される正当性保証装置において、質問器は、固有情報および秘匿情報の書き込み読み出し信号を分割タグ１に送受信可能な信号に変換する制御部２１１を有し、書き込み読み出し信号を送受信する送受信部２１２を有する正当性保証装置を構成した。
【０００７】
請求項６：請求項２ないし請求項４の内の何れかに記載される正当性保証装置において、第一タグおよび第二タグそれぞれに専用の周波数を割り当てて第一タグおよび第二タグに共通に使用する質問器である正当性保証装置を構成した。
請求項７：請求項２ないし請求項４の内の何れかに記載される正当性保証装置において、第一タグおよび第二タグの何れかに格納される回路の一部に遅延回路を加えておくことで、同一周波数の質問をして時間遅れを利用してそれぞれ制御する質問器である正当性保証装置を構成した。
【０００８】
請求項８：製品毎に異なる固有番号の情報とその情報と関連する秘匿情報を格納する分割タグと、固有番号の情報とその情報と関連する秘匿情報を読み書きする質問器とを使用し、分割タグを第一タグおよび第二タグにより構成して分割前に固有情報を第一タグに書き込むと共に秘匿情報を第二タグに書き込み、分割タグを第一タグおよび第二タグに分割して固有情報および秘匿情報の読み取り書き込みを阻止する正当性保証方法を構成した。
請求項９：請求項８に記載される正当性保証方法において、第一タグを製品に埋め込み、第二タグを当該製品の保証書に埋め込む正当性保証方法を構成した。
【０００９】
請求項１０：請求項８に記載される正当性保証方法において、分割タグを使用者が購入して自身の製品に任意に取り付ける正当性保証方法を構成した。
請求項１１：タグを第一タグおよび第二タグにより構成し、固有情報を第一タグに書き込むと共に秘匿情報を第二タグに書き込み、分割タグを第一タグおよび第二タグに分割して固有情報および秘匿情報の読み取り書き込みを阻止する分割タグを構成した。
請求項１２：請求項１１に記載される分割タグにおいて、第一タグ１１は第一トランスポンダ１１１を有し、第二タグ１２は第二トランスポンダ１２１を有し、第一トランスポンダ１１１および第二トランスポンダ１２１に固定接点部１１３ｓおよび可動接点部１１３ｍより成る接点部を介して共通に接続するアンテナを有し、可動接点部１１３ｍに電気機械的に接続すると共に第一タグ１１と第二タグ１２に亘って連通する剛性連結導体１１３ｔを有する分割タグを構成した。
【００１０】
請求項１３：請求項１１に記載される分割タグにおいて、第一タグ１１は第一トランスポンダ１１１を有し、第二タグ１２は第二トランスポンダ１２１を有し、第一トランスポンダ１１１および第二トランスポンダ１２１に各別のアンテナを各別の固定接点部１１３ｓおよび可動接点部１１３ｍより成る接点部を介して接続した分割タグを構成した。
請求項１４：第一タグおよび第二タグにより構成される分割タグの第一タグに固有情報を書き込むと共に第二タグに秘匿情報を書き込む質問器を構成した。
請求項１５：請求項１４に記載される質問器において、固有情報および秘匿情報の書き込み読み出し信号を分割タグに送受信可能な信号に変換する制御部を有し、書き込み読み出し信号を送受信する送受信部２１２を有する質問器を構成した。
【００１１】
請求項１６：請求項１５に記載される質問器において、第一タグおよび第二タグそれぞれに専用の周波数を割り当てて第一タグおよび第二タグに共通に使用する質問器を構成した。
請求項１７：請求項１５に記載される質問器において、第一タグおよび第二タグの何れかに格納される回路の一部に遅延回路を加えておくことで、同一周波数の質問をして時間遅れを利用してそれぞれ制御する質問器である質問器を構成した。
【発明の効果】
【００１２】
この発明に依れば、この発明の正当性保証方法或いは正当性保証装置は、使用者が製品を紛失した場合に、届けられた製品がその所有者として現れた人が正当な所有者であるか否かを、製品に埋め込まれる第一タグから読み出される情報のハッシュ値と所有者として現れた人が所有する第二タグに格納される秘匿情報が合致するかを検証することで、その製品の所有者を特定することができる。更に、第一タグから読み出される情報のハッシュ値と第二タグに格納される秘匿情報が合致したことを以て、その製品は正当な保証書と対となる正当な製品であること保証する真贋判定をすることができる。
【発明を実施するための最良の形態】
【００１３】
以下、発明を実施するための最良の形態を説明する。
この発明は、タグを相互に分割することができる分割タグを構成し、この分割タグを使用することでプライバシイを保護し、製品の真贋を保証し、製品の正当な所有者を特定することを含む広義の正当性を保証する正当性保証方法、この方法を実施する装置、これらに使用される分割タグおよび質問器を提供する。これにより、これらを使用する利用者は利便性を損なうことなくプライバシイが確保された状態で、必要に応じて製品の真贋を保証され、製品の正当な所有者であることを特定される。
【００１４】
この発明の正当性保証装置は、製品に取り付けられる部分である第一タグとその製品の保証書に取り付けられる部分である第二タグより成る分割タグ、およびこの分割タグの情報を読み書きする質問器により構成される。当該製品の使用者が決まらない状態においては、当該分割タグは分割されずに一体の状態に保持されており、この状態で当該分割タグの読み書きをすることができる。分割タグは、当該製品の使用者が決まった際に、第一タグおよび第二タグに分割されると、１対であった分割前には書き込みおよび読み出しができたものが書き込みおよび読み出しはできなくなる。これは、１対として存在していた際には第一タグおよび第二タグが共通のアンテナを有しており、分割された段階においては第一タグおよび第二タグ共にアンテナとの間の接点部を失うことにより、アンテナを介して通信することができない状態を作りだして実現する。また、第一タグには製品の固有情報を格納しておき、第二タグには分割タグが１対で存在した際に第一タグに書き込まれる情報のハッシュ値を格納しておく。この構成により、当該製品を購入前には第一タグおよび第二タグは１対のタグとして存在し、対となっている間は質問器による読み書きすることができる状態であるので、各製品に応じて対応する固有情報およびそのハッシュ値を格納することができ、当該製品の使用者が決まった時点で、使用者の意思により分割タグを分割化することで、第一タグおよび第二タグ共に情報は保持しているものの通信をすることができなくなることで、第一タグおよび第二タグの情報を見ることができず、使用者の所有物の情報を得ることができないのでプライバシイは保護されることになる。
図１および図２を参照して実施例を説明する。図１は分割前後の分割タグを説明する図であり、図１（ａ）は分割タグを説明する図、図１（ｂ）は分割後の分割タグを説明する図である。図２はアンテナ独立型分割タグを説明する図であり、図２（ａ）は第一タグおよび第二タグの双方にアンテナを具備したアンテナ独立型分割タグを説明する図、図２（ｂ）は第一タグのみにアンテナを集約したアンテナ独立型分割タグを説明する図である。
【００１５】
図１（ａ）を参照するに、分割タグ１は、分割部１２０を介して物理的に相互に結合した第一タグ１１と第二タグ１２とにより構成されている。第一タグ１１は、第一トランスポンダ１１１と、第一アンテナ１１２と、第一接点部の第一固定接点部１１３ｓおよび第一可動接点部１１３ｍが内蔵されている。第二タグ１２は、第二トランスポンダ１２１が内蔵されている。この第二トランスポンダ１２１は第一可動接点部１１３ｍに電気接続している。１１３ｔは剛性連結導体を示し、第一タグ１１と第二タグ１２に亘って連通すると共に、第一固定接点部１１３ｓと第二トランスポンダ１２１とを電気機械的に接続している。
【００１６】
図１（ｂ）を参照するに、分割タグ１は、分割部１２０のところで第一タグ１１と第二タグ１２とに物理的に分割されている。この分割に際して、第一可動接点部１１３ｍは剛性連結導体１１３ｔを介して第一固定接点部１１３ｓから引き離されて両者の電気接触は解放されている。
分割タグとしては、図１はその一例のアンテナを一つにし、接点部も一つであるタイプであるが、それ以外のタイプとすることができる。これを図２を参照して説明する。
図２（ａ）を参照するに、分割タグ１は、分割部１２０を介して物理的に相互に結合した第一タグ１１と第二タグ１２とにより構成されている。第一タグ１１は、第一トランスポンダ１１１と、第一アンテナ１１２と、第一接点部１１３の第一固定接点部１１３ｓおよび第一可動接点部１１３ｍが内蔵されている。第二タグ１２は、第二トランスポンダ１２１と、第二アンテナ１２２と、第二接点部１２３の第二固定接点部１２３ｓおよび第二可動接点部１２３ｍが内蔵されている。図２（ａ）においても、剛性連結導体１１３ｔは、それぞれ、第一タグ１１と第二タグ１２に亘って結合連通している。
【００１７】
図２（ｂ）を参照するに、分割タグ１は、分割部１２０を介して物理的に相互に結合した第一タグ１１と第二タグ１２とにより構成されている。第一タグ１１は、第一トランスポンダ１１１と、第一アンテナ１１２と、第一接点部１１３の第一固定接点部１１３ｓおよび第一可動接点部１１３ｍが内蔵されている。第一タグ１１は、更に、他の第一アンテナ１１２’と、他の第一アンテナ１１２’に電気接続する他の第一接点部１１３’の第一固定接点部１１３’ｓおよび他の第一可動接点部１１３’ｍが内蔵されている。第二タグ１２には、第二トランスポンダ１２１のみが内蔵されている。この第二トランスポンダ１２１は他の第一可動接点部１１３’ｍに電気接続している。図２（ｂ）においても、剛性連結導体１１３ｔは、それぞれ、第一タグ１１と第二タグ１２に亘って結合連通している。
【００１８】
図３は製品に分割タグを適用する仕方を説明する図である。
図３（ａ）を参照するに、製品製造時に製品側に第一タグ１１を埋め込むと共に、この製品の保証書側に第二タグ１２を埋め込む。この時、第一タグ１１および第二タグ１２は結合した状態にある。ここで、製品管理サーバ２２の製品ＩＤおよびハッシュ値生成部２２１において生成されたＩＤを、質問器２１の制御部２１１にて第一タグ１１に送受信可能な信号に変換してから送受信部２１２を介して第一タグ１１に送信する。第一タグ１１は、その信号を第一アンテナ１１２の送受信部により取得し、接点部を介してトランスポンダ１１１に伝送する。トランスポンダ１１１のＲＦ部においてこの信号をＩＤ情報に変換し、情報蓄積部に蓄積する。この時、質問器２１の制御部２１１においては、周波数を切り替え、或いは読み書き時間をずらすことで、第一タグ１１および第二タグ１２を区別している。同様に、製品管理サーバ２２の製品ＩＤおよびハッシュ値生成部２２１において生成されたハッシュ値を、質問器２１の制御部２１１において第二タグ１２に送受信可能な信号に変換し、送受信部２１２を介して第二タグ１２に送信する。この信号は、第一タグ１１の第一アンテナ１１２の送受信部および接点部を介して第二トランスポンダ１２１のＲＦ部に伝送され、ここでハッシュ値情報に変換して情報蓄積部に蓄積する。また、これらＩＤおよびそのハッシュ値の情報は、製品管理サーバ２２に接続される製品ＩＤ管理DB２３および保証書管理DB２４内の製品ＩＤ管理部および保証書管理部にも蓄積する。なお、第二タグに格納する情報を第一タグのハッシュ値に限定したが、これに限らず、何らかの暗号アルゴリズムを使用することで暗号化した値で代替することができる。      以上の状態で製品を出荷し、店頭にて売買が行われ、製品の購入者が決定した後、保証書に店名および購入者の署名その他の必要事項を記載した上で、分割タグ１を分割部１２０で分割して第一タグ１１と第二タグ１２を切り離し、購入者に対して当該製品および保証書のタグを引き渡す。
【００１９】
分割タグ１は分割部１２０で分割切り離されて、１１３ｓから１１３ｍが離脱されることにより、第一タグ１１と第二タグ１２は双方共に送受信部との間の電気接続が遮断されので、第一タグ１１と第二タグ１２は何れも読み書きすることができないタグとなる。こうすることで、購入者が所持している製品の情報を悪意ある第三者が盗み見ることはできなくなり、プライバシイを確保することができるに到る。
次に、図４を参照して、この発明を製品の使用者特定装置としての使用の態様を説明する。
【００２０】
製品を紛失し、これが警察その他に届けられた際に、当該製品の正当な使用者であるか否かは、保証者の署名と保証書を持参した人の署名とが一致することを目視により確認した上で、当該製品に埋め込まれた第一タグと所有者が持参する保証書に付設される第二タグとを結合し、使用者特定装置に取り付けられた質問器の送受信部および制御部を介して、第一タグおよび第二タグの情報を読み取り、第一タグから読み取った情報をハッシュ演算部にて演算し、判定部にてハッシュ演算結果と第二タグから読み出した情報とを比較して、両者が合致した場合はその製品の正当な使用者であることが表示部に表示される。逆に、合致しない場合はその製品の正当な使用者ではないことが表示部に表示される。以上の通りにすることにより、製品の正当な使用者の判別を実現することができる。
【００２１】
図５を参照して、この発明を製品の真贋判定装置としての使用の態様を説明する。
製品に埋め込まれた第一タグとその製品の保証書内にある第二タグとを結合し、真贋判定装置を用いて真贋判定装置に取り付けられた質問器の送受信部および制御部を通して、第一タグおよび第二タグの情報を読み取り、第一タグから読み取った情報をハッシュ演算部にて演算し、判定部にてハッシュ値演算結果と第二タグから読み取った秘匿情報が合致した場合にはその製品の正当な保証書と判定し、次に、第一タグおよび第二タグから読み取った情報から真贋判定装置に付属する製品ＩＤ管理ＤＢおよび保証書管理ＤＢに問い合わせることで、製品の情報およびその保証書で保証される内容を取得し、表示部にて表宗することで保証される内容から製品の真贋判定を実現することができる。
【００２２】
更に、第一タグに固有の番号および第二タグにそのハッシュ値を格納したシール型の分割タグを予め用意し、この分割タグを使用者が購入し、必要に応じて使用者自身が正当な所有者であることを保証したい製品に第一タグを貼り付け、第二タグを自らが所有する形で、仮に製品を紛失して警察に届けられた場合、正当な所有者である証としてこの第二タグを使用することができる。
そして、この発明の質問器は、第一タグおよび第二タグ内に格納されている共振回路の共振周波数に対応する相異なる周波数の信号を送信して、第一タグおよび第二タグを選択制御する構成とすることができる。
【００２３】
また、この発明の他の質問器は、第一タグおよび第二タグの何れかに格納される回路の一部に遅延回路を加えておくことで、質問器から送信される同一周波数の質問に対して時間遅れを利用してそれぞれ制御する構成とすることができる。
更に、この発明の分割タグは、製品製造時にこれに第一タグを埋め込む形状構造に製造し、これと対となる第二タグをその製品の保証書に取り付ける形状構造に構成すると好適である。
そして、この発明の他の分割タグは、第一タグおよび第二タグに対となる情報を格納した状態で他の製品に貼り付ける形状構造とすることができる。
【図面の簡単な説明】
【００２４】
【図１】分割タグの実施例を説明する図。
【図２】分割タグの他の実施例を説明する図。
【図３】分割タグの取り付け方を説明する図。
【図４】利用者特定装置としての適用例を説明する図。
【図５】真贋判定装置としての適用例を説明する図。
【符号の説明】
【００２５】
１  分割タグ                      １１  第一タグ
１１１、１２１  トランスポンダ      １１２  共通のアンテナ
１１３  接点部                        １２  第二タグ
２１  質問器
【図１】
2005321878.tif 000003
【図２】
2005321878.tif 000004
【図３】
2005321878.tif 000005
【図４】
2005321878.tif 000006
【図５】
2005321878.tif 000007